(57)【特許請求の範囲】
【請求項１】
デジタル信号を圧縮して低レートと高レートのビットストリームを作成し、該作成した低レートと高レートのビットストリームのそれぞれを記録媒体に記録し、該記録媒体の記録領域に余裕がなくなってきた時に、記録してある高レートのビットストリームを削除して空いた領域に、新たに低レート及び高レートのビットストリームを記録することを特徴とする記録再生方法。
【請求項２】
前記デジタル信号は、放送番組データで構成されていることを特徴とする請求項１に記載の記録再生方法。
【請求項３】
前記デジタル信号は、ビデオ信号とこれに対応するオーデイオ信号とで構成されていることを特徴とする請求項１に記載の記録再生方法。
【請求項４】
前記デジタル信号は、ビデオ信号のみであることを特徴とする請求項１に記載の記録再生方法。
【請求項５】
前記記録されている高レートのビットストリームの削除は、指定した高レートのビットストリームであることを特徴とする請求項１に記載の記録再生方法。
【請求項６】
前記記録されている高レートのビットストリームの削除は、予め設定した優先順位に基づくことを特徴とする請求項１に記載の記録再生方法。
【請求項７】
前記記録されている高レートのビットストリームの削除は、記録された日時が古いほうを優先することを特徴とする請求項１に記載の記録再生方法。
【請求項８】
前記記録されている高レートのビットストリームの削除は、少なくとも一回再生した高レートのビットストリームの内、記録日時の古い順であることを特徴とする請求項１に記載の記録再生方法。
【請求項９】
デジタル信号を圧縮して低レートと高レートのビットストリームを生成する手段と、該生成した低レートと高レートのビットストリームのそれぞれを記録媒体に記録する手段と、該記録媒体の記録領域に余裕がなくなってきた時に、記録されている高レートのビットストリームを削除する記録制御手段とを有し、
前記記録する手段は前記記録制御手段により高レートのビットストリームを削除して空いた領域に、新たに低レート及び高レートのビットストリームを記録することを特徴とする記録再生装置。
【請求項１０】
前記デジタル信号は、放送番組データで構成されていることを特徴とする請求項９に記載の記録再生装置。
【請求項１１】
前記デジタル信号は、ビデオ信号とこれに対応するオーデイオ信号とで構成されていることを特徴とする請求項９に記載の記録再生装置。
【請求項１２】
前記デジタル信号は、ビデオ信号のみであることを特徴とする請求項９に記載の記録再生装置。
【請求項１３】
前記記録されている高レートのビットストリームの削除は、指定した高レートのビットストリームであることを特徴とする請求項９に記載の記録再生装置。
【請求項１４】
前記記録されている高レートのビットストリームの削除は、予め設定した優先順位に基づくことを特徴とする請求項９に記載の記録再生装置。
【請求項１５】
前記記録されている高レートのビットストリームの削除は、記録された日時が古いほうを優先することを特徴とする請求項９に記載の記録再生装置。
【請求項１６】
前記記録されている高レートのビットストリームの削除は、少なくとも一回再生した高レートのビットストリームの内、記録日時の古い順であること
を特徴とする請求項９に記載の記録再生装置。
【発明の詳細な説明】
【０００１】
【発明の属する技術分野】
本発明は、記録再生方法及び記録再生装置に関するものであり、詳しくはデジタル信号をデータ圧縮してランダムアクセスして記録媒体に記録する手法に関する。
【０００２】
【従来の技術】
ビデオ信号やオーデイオ信号等を、例えば任意に記録・再生可能なＤＶＤ−ＲＡＭ、ハードディスク、或いは光磁気ディスクなどのディスク状のランダムアクセスが可能な記録媒体に記録する記録再生装置が開発されている。
【０００３】
このような画像を含むデータは、情報量が多いので、ディスク状の記録媒体に記録する際には、画像データなどを圧縮符号化することが行われている。画像データを圧縮符号化する方法としては、ＭＰＥＧ（Ｍｏｖｉｎｇ  ＰｉｃｔｕｒｅＥｘｐｅｒｔｓ  Ｇｒｏｕｐ）２などをはじめとする各種の符号化方法が知られている。
【０００４】
テレビ信号のようにリアルタイムにエンコードしながら記録するような場合には、予想外のデータ量になり、記録媒体の空き容量を越えてしまい、途中で記録を中止するか、既に記録したデータを消去して新しいデータを記録する方法が採られることが多い。
【０００５】
このような場合の対策として、例えば特開平１１ー１６７７７０号公報などに開示された方法が提案されている。ここに開示されている技術は、ＭＰＥＧ２などの圧縮方法で記録した信号を再圧縮することによりスペースを作り出すのであるが、この際に、以前に記録したストリームを一度伸長して元に戻してから、さらに圧縮率を上げて再圧縮してストリームを記録し直す方法が採用されている。
【０００６】
この場合のＭＰＥＧ２による圧縮は、基本的にＤＣＴ（Ｄｉｓｃｒｅｔｅ  Ｃｏｓｉｎｅ  Ｔｒａｎｓｆｏｒｍ）を画像内の小ブロックに対して行い、高い周波数成分ほどビットの割り当てを少なくした上で可変長符号化している。
【０００７】
そして、さらに圧縮効率を高めるために、量子化による振幅方向の圧縮、フイールド間或いはフレーム間での動き補償による時間軸方向の圧縮を行い、動き補償により残った差分情報と、フイールド内或いはフレーム内の情報自体とで情報量の少ないほうのみを切り換えて伝送している。
【０００８】
【発明が解決しようとする課題】
しかしながら、以上のＭＰＥＧ２のような非可逆変換を伴う操作に基づいて圧縮したデータストリームを一度伸長してから再圧縮することによりスペースを作り出す技術では、以下に説明するような問題がある。
【０００９】
第１に、ＭＰＥＧ２による非可逆圧縮では、量子化過程とかフレーム間圧縮の際に、データの一部が消去されるので、伸長した際に信号が完全に元に戻らず、このため圧縮伸長を繰り返すことによりＳ／Ｎが劣化する。
【００１０】
第２に、このように劣化したビデオ信号を用いてＭＰＥＧ２による再圧縮を行うと、新たに生じたノイズにより動き検出を誤ることがあり、画質劣化の原因となる。
【００１１】
【課題を解決するための手段】
上記の課題を解決するための本発明に係る記録再生方法は、デジタル信号を圧縮して低レートと高レートのビットストリームを作成し、該作成した低レートと高レートのビットストリームのそれぞれを記録媒体に記録し、該記録媒体の記録領域に余裕がなくなってきた時に、記録してある高レートのビットストリームを削除して空いた領域に、新たに低レート及び高レートのビットストリームを記録することである。
【００１２】
又、前記デジタル信号は、放送番組データで構成されていること；前記デジタル信号は、ビデオ信号とこれに対応するオーデイオ信号とで構成されていること；前記デジタル信号は、ビデオ信号のみであること；前記記録されている高レートのビットストリームの削除は、指定した高レートのビットストリームであること；前記記録されている高レートのビットストリームの削除は、予め設定した優先順位に基づくこと；前記記録されている高レートのビットストリームの削除は、記録された日時が古いほうを優先すること；前記記録されている高レートのビットストリームの削除は、少なくとも一回再生した高レートのビットストリームの内、記録日時の古い順であることである。
【００１３】
記録再生装置は、デジタル信号を圧縮して低レートと高レートのビットストリームを生成する手段と、該生成した低レートと高レートのビットストリームのそれぞれを記録媒体に記録する手段と、該記録媒体の記録領域に余裕がなくなってきた時に、記録されている高レートのビットストリームを削除する記録制御手段とを有し、前記記録する手段は前記記録制御手段により高レートのビットストリームを削除して空いた領域に、新たに低レート及び高レートのビットストリームを記録することである。
【００１４】
又、前記デジタル信号は、放送番組データで構成されていること；前記デジタル信号は、ビデオ信号とこれに対応するオーデイオ信号とで構成されていること；前記デジタル信号は、ビデオ信号のみであること；前記記録されている高レートのビットストリームの削除は、指定した高レートのビットストリームであること；前記記録されている高レートのビットストリームの削除は、予め設定した優先順位に基づくこと；前記記録されている高レートのビットストリームの削除は、記録された日時が古いほうを優先すること；前記記録されている高レートのビットストリームの削除は、少なくとも一回再生した高レートのビットストリームの内、記録日時の古い順であることである。
【００１５】
以上の構成により、本発明に係る記録再生方法或いは記録再生装置によれば、記録媒体にスペースがあるときは、そのままスペースを空けておくのではなく、高低の両レートビットストリームを記録媒体上に確保しておき、再生時には高ビットレートストリームを優先的に再生することにより、記録媒体を有効に使用して高品質な画質を視聴することを可能とする。
【００１６】
また、本発明に係る記録再生方法或いは記録再生装置によれば、記録媒体にスペースがなくなってきたときは、多くの低レートのビットストリームを残すことができるが、この場合でも従来と同程度のビットストリームの場合は、再圧縮する従来の技術に比べて圧縮の際の劣化が少ないので、良い画質を確保することができる。
【００１７】
【発明の実施の形態】
以下、本発明に係る記録再生方法及び記録再生装置の実施の形態について図を用いて説明する。図１は本発明の実施の１形態を略示的に示した全体構成図である。以下の説明では、カラーテレビジョンの信号を受信し記録再生装置に記録する場合を例にとって説明する。
【００１８】
入力端子９には、カラーテレビジョン信号のなかのキャリアで変調されたビデオ信号ＣＶＳが印加され、このビデオ信号を復調器１０により復調して、ベースバンド信号、つまりアナログのＴＶ信号の１部をなすビデオ信号ＡＶＳを取り出す。
【００１９】
このビデオ信号ＡＶＳは、ユーザインターフエイス１１が接続されたマイクロコンピュータ１２により変換のタイミングが制御されてアナログ／デジタル変換器１３によりデジタルのビデオ信号ＤＶＳに変換される。
【００２０】
ユーザインターフエイス１１は、例えばキーボードなどで構成され、ユーザがこれを通してシステム全体のコントロールを行うマイクロコンピュータ１２に対して命令を指示する。
【００２１】
ビデオ信号ＤＶＳは、デジタル信号を圧縮して低レートのビットストリームと高レートのビットストリームを生成する手段、即ち、高レートエンコーダ１４と低レートエンコーダ１５に入力され、これらは共にこのビデオ信号ＤＶＳを非可逆的な圧縮法、例えばＭＰＥＧ２などの圧縮法でそれぞれ高レートのビットストリームとして機能する高レートビデオストリームＨＶＳと、低レートのビットストリームとして機能する低レートビデオストリームＬＶＳにそれぞれ変換される。
【００２２】
この場合、高レートエンコーダ１４は、マイクロコンピュータ１２から高画質に圧縮されるようにパラメータＨＲ１としてレート設定されているので、記録媒体１６に記録する際には、低圧縮で多くの容量を必要とするが、高画質の記録が可能となる。
【００２３】
また、低レートエンコーダ１５は、マイクロコンピュータ１２から低画質に圧縮されるように、パラメータＨＲ１より低いレートとなるパラメータＬＲ１にレート設定されているので、記録媒体１６に記録する際には、低画質ではあるが、高圧縮で少ない記憶容量しか必要としない。
【００２４】
入力端子１７には、ビデオ信号ＡＶＳに対応するアナログのＴＶ信号の他の一部をなすオーデイオ信号ＡＯＳが印加され、このオーデイオ信号ＡＯＳはアナログ／デジタル変換器１８によりマイクロコンピュータ１２により変換のタイミングが制御されてデジタルのオーデイオ信号ＤＯＳに変換される。
【００２５】
このオーデイオ信号ＤＯＳは、高レートエンコーダ２０と低レートエンコーダ２１に入力され、これらは共にこのオーデイオ信号ＤＯＳを非可逆的な圧縮法、例えばＭＰＥＧ２などの圧縮法でそれぞれ高ビットレートストリームとして機能する高レートオーデイオストリームＨＯＳと、低ビットレートストリームとして機能する低レートオーデイオストリームＬＯＳにそれぞれ変換される。
【００２６】
この場合、高レートエンコーダ２０は、低レートと高レートのビットストリームのそれぞれを記録媒体に記録する手段、即ち、マイクロコンピュータ１２から高音質に圧縮されるようにパラメータＨＲ２としてレート設定されているので、記録媒体１６に記録する際には、低圧縮なので多くの記憶容量を必要とするが、高音質の記録が可能となる。
【００２７】
また、低レートエンコーダ２１は、マイクロコンピュータ１２から低音質に圧縮されるように、パラメータＨＲ２より低いレートとなるパラメータＬＲ２にレート設定されているので、記録媒体１６に記録する際には、高圧縮で少ない容量しか必要としないが、低音質の記録が可能となる。
【００２８】
以上の高レートビデオストリームＨＶＳ或いは高レートオーデイオストリームＨＯＳのビットレートをそれぞれ、例えば１０Ｍｂｐｓとすると、低レートビデオストリームＬＶＳ或いは低レートオーデイオストリームＬＯＳのビットレートは２Ｍｂｐｓ程度であり、５倍程度のビットレートの差があるので、高ビットレートストリームと低ビットレートストリームとでは、記録容量にして５倍程度の差が生じる。
【００２９】
インターフエイス２２には、高レートビデオストリームＨＶＳ、低レートビデオストリームＬＶＳ、及び高レートオーデイオストリームＨＯＳ、低レートオーデイオストリームＬＯＳの４つのストリームがそれぞれ入力される。
【００３０】
インターフエイス２２は、入力用のバッフアメモリ２３を有しているので、マイクロコンピュータ１２の制御のもとにこのバッフアメモリ２３に、高レートビデオストリームＨＶＳと低レートビデオストリームＬＶＳ、及び高レートオーデイオストリームＨＯＳと低レートオーデイオストリームＬＯＳの４つのストリームが同時に入力される。
【００３１】
そして、これらの４つのストリームはそれぞれ別フアイルとして記録できる形式に変換され、記録媒体１６にデータ転送、つまり書き込みが実行される。これらのストリームを別フアイルにするのは、それぞれのストリームを独立して再生することができるようにするためである。
【００３２】
記録媒体１６は、データを圧縮して格納しランダムアクセス的に書き込み読み出しができる媒体であればよく、例えばハードディスク、ＤＶＤ−ＲＡＭ、或いは光磁気ディスクなどが採用される。
【００３３】
インターフエイス２４は、記録媒体１６に記録された記録済のデータストリームを格納するためのバッフアメモリ２５を有しており、このバッフアメモリ２５を用いてそれぞれビデオストリームデコーダ２６、オーデイオストリームデコーダ２７に入力できる形式に変換する。
【００３４】
デジタル／アナログ変換器２８は、記録媒体１６から読み出されたビデオストリームがビデオストリームデコーダ２６で変換されて入力され、これをマイクロコンピュータ１２のタイミング制御によりアナログ信号に変換して変調器２９に出力する。変調器２９は、このアナログ信号をビデオ信号に変調して出力端子３０に変調されたビデオ信号として出力する。
【００３５】
一方、デジタル／アナログ変換器３１は、このビデオ信号に対応する記録媒体１６から読み出されたオーデイオストリームがオーデイオストリームデコーダ２７で変換されて入力され、これをマイクロコンピュータ１２のタイミング制御によりアナログ信号に変換して出力端子３２にオーデイオ信号として出力する。
【００３６】
次に、記録媒体の記録領域に余裕がなくなってきた時に、記録されている高レートのビットストリームを削除する記録制御手段、即ち、インターフエイス２２によって記録媒体１６に記録される各ストリームによって構成されるＴＶ信号の番組は、図２（Ａ）に示すように、先ず、高レートビデオストリームＨＶＳ、低レートビデオストリームＬＶＳ、高レートオーデイオストリームＨＯＳ、低レートオーデイオストリームＬＯＳの４つのストリームで構成されるタイプＡのストリームフアイルの集合３３として作られている。
【００３７】
さらに、インターフエイス２２によって記録媒体１６に記録される各ストリームによって構成される番組は、図２（Ｂ）に示すように、タイプＡのストリームフアイルの集合３３から高レートビデオストリームＨＶＳと高レートオーデイオストリームＨＯＳを除いたタイプＢのストリームフアイルの集合３４としても作られる。
【００３８】
タイプＢのストリームフアイルの集合３４は、タイプＡの集合３３の省スペース版であり、記録媒体１６の記録可能領域がなくなった際に、新たに記録可能スペースを捻出させる目的でタイプＡから高ストリームフアイルを削除して記録媒体１６の中に作られる。従って、図２（Ａ）に示す低レートビデオストリームＬＶＳと低レートオーデイオストリームＬＯＳは、図２（Ｂ）に示す低レートビデオストリームＬＶＳと低レートオーデイオストリームＬＯＳと、それぞれ同一の内容である。
【００３９】
次に、以上のように構成された本発明に係る記録再生装置のシステム動作について、フローチャート図を用いて説明する。図１に示すマイクロコンピュータ１２は、図示していないが、内部にマイクロプロセッサやメモリなどを搭載しており、以下の各フローを実行するプログラムは内蔵のメモりの中に格納されているので、このプログラムに従ってマイクロプロセッサはフローに示す各動作を制御して全体の演算を処理している。
【００４０】
以下の説明では、理解しやすくするために、動作を単純化し、このシステムをパワーオフ状態、記録状態、及び再生状態の３つしか存在しないものとし、記録状態では信号は常に入力されており記録媒体に常に記録しているものとし、再生状態では常に記録媒体から信号を再生しているものとしている。
【００４１】
メインルーチンは、図３に示すように、ステップＳＴ１から開始し、先ず、ステップＳＴ２でパワーオンを行って各機器を動作可能な状態にする。
【００４２】
次に、ステップＳＴ３でシステムがパワーオン継続でかつ記録モードか否かの判断を行い、ＹＥＳのときはシステムが記録モードであるので、ステップＳＴ４の図４に示す記録ルーチンに制御が移り、図４に示す記録ルーチンを抜けた後はステップＳＴ３に制御が移る。
【００４３】
ステップＳＴ３でＮＯと判断されたときは、システムはパワーオフの状態に移行するように命令を受けたか、再生モードになったかのどちらかであり、これをステップＳＴ５で判断する。
【００４４】
ステップＳＴ５で再生モードにあると判断されたら、ステップＳＴ６の図５に示す再生ルーチンを経由して図３に示すステップＳＴ３の判断に戻り、またステップＳＴ５で再生モードでないと判断されたら、ステップＳＴ７のパワーオフ処理を行いステップＳＴ８の終了処理でメインルーチンを終了する。
【００４５】
図３に示すステップＳＴ４で、図４に示す記録ルーチンに制御が移り、記録動作は図４に示すステップＳＴ９から開始し、ステップＳＴ１０で記録媒体１６上に図２（Ａ）に示す集合３３のタイプＡの番組が記録できるスペースがあるかどうかの判断を行う。
【００４６】
ステップ１０で「スペースあり」と判断されれば、制御はステップＳＴ１２に移り、ここで入力信号（ビデオ、オーデイオ）をタイプＡのストリームフアイルの集合３３の番組形式に変換して記録媒体１６に記録を行い、ステップＳＴ１３を介して図３に示すメインルーチンのステップＳＴ３に戻る。
【００４７】
次に、ステップ１０で「スペースがない」と判断されれば、制御はステップＳＴ１１に移り、このステップＳＴ１１で記録媒体１６上の記録済み領域から、図６に示す削除ルーチンにより新たに記録可能領域を捻出し、記録領域が確保された後、図４に示す記録ルーチンのステップＳＴ１２に戻る。
【００４８】
このステップＳＴ１２で、入力信号（ビデオ、オーデイオ）をタイプＡのストリームフアイルの集合３３の番組形式に変換して記録媒体１６に記録を行い、ステップＳＴ１３を介して図３に示すメインルーチンのステップＳＴ３に戻る。
【００４９】
次に、ステップＳＴ１１から図６に示す削除ルーチンに入り、この削除ルーチンにより記録済の領域のストリームを削除して新たに記録可能領域をつくることになるが、先ず、ステップＳＴ１４からこの削除ルーチンに入る。
【００５０】
ステップＳＴ１４からステップＳＴ１５に移行して、このステップＳＴ１５において、作業変数ｋに要素数Ｎの値をセットするが、この要素数Ｎは記録媒体１６上に存在するタイプＡ形式の番組の集合φの要素の数を示している。要素数Ｎの値をセットした後、ステップＳＴ１６でタイプＡ形式の記録済み番組が存在する（ｋ＞０）かどうかの判断を行う。
【００５１】
タイプＡ形式の記録済み番組は、図２（Ａ）に示すように、同じ番組で高低２種類のレートのストリームを有しているので、タイプＡ形式で記録した番組のストリームの一部を消して図２（Ｂ）に示すタイプＢに変更することによって、番組の内容を残したまま、新たに記録可能な領域を記録媒体１６の上に捻出することができる。
【００５２】
ステップＳＴ１６でＹＥＳと判断されたら、タイプＡの番組が記録媒体１６上に存在することになるので、ステップＳＴ１７において集合φから後述する方法で集合φの中から所定の番組Ｐをセレクトする。
【００５３】
この後、ステップＳＴ１８において、セレクトした番組Ｐの構成要素から、ビデオとオーデイオの高ビットレートストリームである高レートビデオストリームＨＶＳと高レートオーデイオストリームＨＯＳを消去し、タイプＡの番組ＰをタイプＢの番組に変更する。
【００５４】
次に、ステップＳＴ１９において、もはやタイプＡ形式の番組の集合φの要素ではなくなった番組Ｐを集合φから除いて、記録済のタイプＢ形式の番組の集合ψに追加し、ステップＳＴ２０で集合φの要素数ｋから１を引く。
【００５５】
この後、ステップＳＴ２１で必要なスペースができたかどうかを調べて、スペース確保ができたと判断されたときは、ステップＳＴ２２を経て図４に示す記録ルーチンのステップＳＴ１１に戻り、必要な記録スペースがまだ確保されていないと判断されたときは、制御をステップＳＴ１６に戻す。
【００５６】
ステップＳＴ２３でｋ＞０を満たせなかった場合には、これ以上、タイプＡからタイプＢへの変換で記録スペースを確保することができないこととなるので、ステップＳＴ２３において後述する方法で集合ψの中から番組Ｑをセレクトして消去する。
【００５７】
ステップＳＴ２４では、もはや集合ψの要素ではなくなった番組Ｑを集合ψより取り除き、ステップＳＴ２５で必要な記録スペースができたかどうかを調べて、記録スペースが確保されたと判断されたらステップＳＴ２２を経て図４に示す記録ルーチンのステップＳＴ１１に戻り、必要な記録スペースがまだ確保されていないと判断されたときは、制御をステップＳＴ２３に戻す。
【００５８】
次に、図３に戻り、再生動作について説明する。このステップＳＴ５で再生モードにあると判断されたら、ステップＳＴ６で図５に示す再生ルーチンに入るが、この再生動作はステップＳＴ２６から開始する。
【００５９】
ステップＳＴ２７において、再生しようとしている番組のタイプがタイプＡかそれともタイプＢかを判断し、タイプＡであればステップＳＴ２８に移行して高ビットレートストリームを再生し、タイプＢであれば番組には低ビットレートストリームしかないので、ステップ２９に移行してこれを再生し、これらの再生が終了すれば、ステップＳＴ３０を介してこの再生ルーチンを出る。
【００６０】
記録スペースを確保するために番組をセレクトしてタイプＡからタイプＢに変換処理を行う図６に示すステップＳＴ１７とステップＳＴ１８の処理、あるいはタイプＢの中から番組を消去する図６に示すステップＳＴ２４の処理の場合においては、対象となる番組のセレクトの仕方について、次に説明するような各種の方法が存在する。
【００６１】
先ず、第１にユーザがユーザインターフエイス１１を介してマイクロコンピュータ１２に直接指示を出して番組を指定して消去する方法、第２にユーザが予め消去する番組の優先順位をマイクロコンピュータ１２に登録しておき、消去するときはこの優先順位に従ってマイクロコンピュータ１２が自動的に消去する方法がある。
【００６２】
第３に記録媒体１６に記録された日時が最も古い番組からセレクトして消去する方法、第４にユーザが既に一度再生した番組のうち、記録日時が最も古い番組から消去する方法などがある。
【００６３】
以上、記録媒体１６に各種の記録と消去を繰り返すこととなるが、ここでは、この記録時の記録媒体１６の状態遷移を中心として、図７に示す状態遷移図を用いて説明する。なお、ユーザがタイプＡ、タイプＢに関わらず、任意の番組を消去することは可能であるが、理解を容易にするために、これらの消去については省略する。
【００６４】
状態ＣＤ１０は、記録媒体１６の初期状態であり、記録媒体１６上のデータは不定×であり、状態ＣＤ１０からタイプＡの記録を行うと、パスＰＴ１０又はパスＰＴ１１を通って状態ＣＤ１１又は状態ＣＤ１２に遷移する。
【００６５】
状態ＣＤ１１は、書き込み可能な領域が多くてさらにタイプＡで記録可能な状態であり、状態ＣＤ１２は、書き込み可能領域が少なくてこれ以上はタイプＡで記録ができない状態を示している。
【００６６】
そこで、状態ＣＤ１１でさらにタイプＡで記録を行うと、パスＰＴ１２を通って再び状態ＣＤ１１に戻る場合と、パスＰＴ１３を通って状態ＣＤ１２に遷移する場合とが存在する。
【００６７】
状態ＣＤ１２からは、記録媒体１６上のタイプＡの番組をタイプＢに変換することによりスペースを空ける以外に他の状態に遷移するパスが存在しないが、パスＰＴ１４を通った場合はタイプＡで記録可能な状態ＣＤ１１に遷移する。
【００６８】
状態ＣＤ１２で、パスＰＴ１５を通った場合は記録媒体１６上のタイプＡの番組が全てタイプＢに変換されてしまったにも関わらず、タイプＡを記録するために十分なスペースを確保できていない状態ＣＤ１３に遷移する。
【００６９】
この状態ＣＤ１３からは、タイプＢの番組を消去することによって、パスＰＴ１６を通ってタイプＡを記録できる状態ＣＤ１１に遷移することができることとなる。
【００７０】
今までの説明では、番組の記録の際に、図１に示すように、ビデオ信号ＤＶＳから高レートビデオストリームＨＶＳと低レートビデオストリームＬＶＳへのエンコードの際に、高レートエンコーダ１４と低レートエンコーダ１５の２つのエンコーダを使用しているが、これはエンコードのアルゴリズムを改良することによってエンコーダを１つにすることもできる。
【００７１】
また、オーデイオ信号ＤＯＳはビデオ信号ＡＶＳに比べて記録容量が小さいので、高レートオーデイオストリームＨＯＳを作る際に、圧縮処理をしないで、つまりパラメータＨＲ２のレート設定を極限まで上げて圧縮した形として、リニアＰＣＭ（ｐｕｌｓｅ  ｃｏｄｅ  ｍｏｄｕｌａｔｉｏｎ）で記録し、さらに高音質とすることもできる。このため、ここでは高ビットレートストリームの中には無圧縮のものも含まれるものとする。
【００７２】
【発明の効果】
以上説明したように、本発明に係る記録再生装置によれば、記録媒体の記録スペースに余裕がある場合は高低両レートのビットストリームで記録し、記録媒体に余裕がなくなったときには記録済の所定の高レートのビットストリームを削除して空いた領域に、新たに低レート及び高レートのビットストリームを記録するようにしたので、高レートのビットストリームを削除して容量を確保しながら、新たなデジタル信号についての低画質なビットストリームと高画質なビットストリームとを記録することができる。
【００７３】
また、記録媒体には、余裕スペースを使って高低両レートのビットストリームが記録されているので、ユーザは再生のときには高レートのビットストリームを優先的に再生することができ、高画質を楽しむことが出来る。さらに、記録媒体に高レートのビットストリームが存在する場合は、これらを削除することによって、新規に書き込みスペースを捻出することができ、この場合には低レートのビットストリームは残るので、記録媒体上に多くの低レートのビットストリーム（番組）を確保することができる。
【００７４】
本発明に係る記録再生装置における低レートのビットストリームは、従来の再圧縮する低レートのビットストリームに比べて、同程度のビットレートの場合には、ビットの抜けがないので画質がよく、また逆に従来の再圧縮による低レートのビットストリームと同程度の画質にするのであれば、さらに圧縮率を上げることができる。
なぜならば、本発明に係る記録再生装置における低レートのビットストリームは、高レートのビットストリームを作るのと同じソースを用いているので、圧縮の際の劣化が少ないためである。これに対してＭＰＥＧ２を用いて伸長を伴う再圧縮で低レートのビットストリームに作り直す従来の場合には、ＭＰＥＧ２が非可逆変換であるために発生するノイズ自身と、このノイズが再圧縮の際の動き検出に誤りをもたらすことの２重の要因により画質を落とすからである。
【００７４】
また、本発明に係る記録再生方法によれば、記録媒体の記録領域に余裕があるときは高低両レートのビットストリームとして記録し、記録媒体に余裕がなくなったときには所定の記録済の高レートのビットストリームの削除を行なって記録領域を作り新たに低レートのビットストリームを記録するようにしたので、記録媒体にスペースがあるときは、そのままスペースを開けておくのではなく、高低の両レートのビットストリームを記録媒体上に確保しておき、再生時には高レートのビットストリームを優先的に再生することにより、記録媒体を有効に使用して高品質な画質を視聴することを可能とする。
【００７５】
さらに、本発明に係る記録再生方法によれば、記録媒体にスペースがなくなってきたときは、多くの低レートのビットストリームを残すことができるが、この場合でも従来と同程度のビットストリームの場合は、再圧縮する従来の技術に比べて圧縮の際の劣化が少ないので、良い画質を確保することができる。
【図面の簡単な説明】
【図１】本発明に係る実施の形態を示すブロック図である。
【図２】図１に示す記録媒体に格納されるデータ形式の構成を示す説明図である。
【図３】図１に示す記録再生装置の動作の説明をするメインルーチンのフローチャート図である。
【図４】図１に示す記録再生装置の動作の説明をする記録ルーチンのフローチャート図である。
【図５】図１に示す記録再生装置の動作の説明をする再生ルーチンのフローチャート図である。
【図６】図１に示す記録再生装置の動作の説明をする削除ルーチンのフローチャート図である。
【図７】図１に示す記録再生装置の記録媒体における状態遷移を説明する状態遷移図である。
【符号の説明】
１０；復調器、１１；ユーザインターフエイス、１２；マイクロコンピュータ、１３；アナログ／デジタル変換器、１４；高レートエンコーダ、１５；低レートエンコーダ、１６；記録媒体、１８；アナログ／デジタル変換器、２０；高レートエンコーダ、２１；低レートエンコーダ、２２；インターフエイス、２３；バッフアメモリ、２４；インターフエイス、２５；バッフアメモリ、２６；ビデオストリームデコーダ、２７；オーデイオストリームデコーダ、２８；デジタル／アナログ変換器、２９；変調器、３１；デジタル／アナログ変換器、ＤＶＳ；ビデオ信号、ＤＯＳ；オーデイオ信号、ＨＶＳ；高レートビデオストリーム、ＬＶＳ；低レートビデオストリーム、ＨＯＳ；高レートオーデイオストリーム、ＬＯＳ；低レートオーデイオストリーム、ＡＶＳ；ビデオ信号、ＡＯＳ；オーデイオ信号
【図１】
0004239318.tif 000002
【図２】
0004239318.tif 000003
【図３】
0004239318.tif 000004
【図４】
0004239318.tif 000005
【図５】
0004239318.tif 000006
【図６】
0004239318.tif 000007
【図７】
0004239318.tif 000008